(57)【特許請求の範囲】
【請求項１】
通気性を有する素材からなり積層されて一端部が互いに縫着部と接着剤により接合される複数の第一シートを有し、前記第一シートより硬度を有して前記第一シートと積層される第二シートを有する携帯型書道作品ホルダにおいて、
前記複数の第一シート同士の間に書道作品を収納して第二シートが外側となる様に曲げられて、前記第二シートはその長さが前記第一シートより長く設定される曲代部を備え、第二シートの縫着部と相対する端辺中央及び両端に上向きに面ファスナのループ部が縫着され、第二シートの裏面の縫着部から所定の距離をおいた位置に面ファスナのフック部が縫着されることで乾燥可能で携帯しやすいことを特徴とする携帯型書道作品ホルダ。
【請求項２】
通気性を有する素材からなり積層されて一端部が互いに縫着部と接着剤により接合される複数の第一シートを有し、前記第一シートより硬度を有して前記第一シートと積層される第二シートを有する携帯型書道作品ホルダにおいて、
前記複数の第一シート同士の間に書道作品を収納して第二シートが外側となる様に曲げられて、前記第二シートはその長さが前記第一シートより長く設定される曲代部を備え、端部に穴部を設けてリングが貫通されることで乾燥可能で携帯しやすいことを特徴とする携帯型書道作品ホルダ。
【請求項３】
第一シートは、不織布と、麻布と、網目状布とのいずれかから構成されることを特徴とする請求項１または２に記載の携帯型書道作品ホルダ。
【請求項４】
第一シートは、その折目となる部分に切込部を設けることを特徴とする請求項１または２に記載の携帯型書道作品ホルダ。
【請求項５】
結合される一辺は、接着剤による接着または、第一シートに予め設けた綴じ部により固定することを特徴とする請求項１または２に記載の携帯型書道作品ホルダ。
【請求項６】
固定部と受部は、根付と通し紐と、複数の紐と、面ファスナと、ハトメと、留金具のいずれかであることを特徴とする請求項１または２に記載の携帯型書道作品ホルダ。
【請求項７】
第一シートの結合部が所定の距離ごとに結合され、前記結合位置に対応して第二シートに折り目が設けられることを特徴とする請求項１または２に記載の携帯型書道作品ホルダ。
【請求項８】
第二シートは、その中央に折り畳み線と平行な複数の溝を備えて収納時に折畳み用の表装を形成することを特徴とする請求項１または２に記載の携帯型書道作品ホルダ。
【請求項９】
第二シートは、収納される用紙の半分以下のサイズからなる２枚のシートから形成されることを特徴とする請求項１または２に記載の携帯型書道作品ホルダ。
【請求項１０】
第二シートが第一シートの表及び裏の両面に配置されることを特徴とする請求項１または２に記載の携帯型書道作品ホルダ。
【請求項１１】
結合される一辺は、収納される用紙の長手方向の辺であることを特徴とする請求項１または２に記載の携帯型書道作品ホルダ。
【請求項１２】
結合される一辺は、収納される用紙の短手方向の辺であることを特徴とする請求項１または２に記載の携帯型書道作品ホルダ。
【発明の詳細な説明】
【技術分野】
【０００１】
本発明は、未乾きの書道作品の保管スペースを削減し及び書道作品を携帯するための携帯型書道作品ホルダに関するものである。
【背景技術】
【０００２】
書道作品は、墨汁を含ませた筆によって作品を完成させるため、作品が墨汁で濡れることは避けることができない。このため、作品を乾燥させるスペースと時間とが必要となる。例えば、乾燥用に新聞紙を広げ、そこに書道作品を載置することで乾燥させる。しかしながら、墨汁は膠質であるため、往々にして作品が、新聞紙に付着して作品を傷める場合や、逆に新聞紙が作品に付着して作品を汚損させる場合もある。また、新聞紙は吸水性が低く、積層した場合には乾燥させるのに相当な時間を要するとともに、新聞紙に作品が付着する場合や、墨汁で作品が汚損される場合もある。
【０００３】
しかし、新聞紙に載置せずに、直ちに作品を移動させると作品が乾燥していないため墨汁が滴下して、作品を自損する場合や墨汁で床や壁、付近にいる人の衣服や手足を汚損する場合もある。このため、現状では、作品を書き上げながら直ぐ水平に新聞紙上に配置することとなる。新聞紙が前記の通り、積層が困難であるため、作品を水平にして１枚ずつ乾燥させることとなる。このため、作品を乾燥させるスペースが必要となる。通常、作品を完成させるためには複数枚の練習が必要で有り、相当に広いスペースを必要とする。特に書家にとって、半紙よりも半切紙及び全紙等の大型作品を練習する際に、必要なスペースは更に拡大され、作品を一枚完成した際に作品を置くスペースの心配をし、更に作品の乾燥時間の配分や次に作品を書くタイミングを考慮して時間調整することを強いられ、乾燥の為に作成時間を中断されるために次の作品を作成する気力を削がれてしまうのが現実である。また、書家でなく児童らにとっても、学校における書道の時間では教室のスペースが定められているため作品を乾燥させるスペースを十分に確保することが困難である。
【０００４】
また、乾燥させるためには、水分を蒸発させるため、ある程度の時間を必要とする。
【０００５】
一方、定められた時間内に書道作品を完成させて直ちに移動する必要も従来にも増して発生している。そこで、作品を短時間で乾燥させるという必要性と、乾燥するまもなく作品を携帯して移動するという必要性が生じている。これらの課題を同時に満足させるために多くの提案がなされている。
【０００６】
例えば特許文献１では、「空気の流通をよくする子穴を多数設けた、画用紙位の厚さで、半紙の大きさよりも、一回り大きい用紙を、複数枚とじてあり、色付きの用紙であることを特徴とする、習字などを書いた半紙の収納つづり」が提案されている。
【０００７】
このつづりを使用することにより墨で書いた半紙を早く乾かすという利点がある。すなわち、作品を乾燥させるという課題を解決している。
【０００８】
また、特許文献２では、「上端に吊り下げ用の穴もしくはリングのついた台紙が布設され、下端で綴じられた複数枚の不織布による仕切り材で構成された作品ホルダ」が提案されている。この書道作品ホルダは吊り下げが可能であり、このため保管スペースが少ない場所でも十分保管可能となる。また、不織布を利用するため通気性が良く、早く乾燥するという利点を有している。この提案も、作品を乾燥させるという課題を解決している。
【特許文献１】実開昭６１−１０９７７１号公報、図３、第１頁
【特許文献２】登録実用新案第３０１７８５６号公報、図１、第３頁
【発明の開示】
【発明が解決しようとする課題】
【０００９】
ところが、何れの発明も乾燥や収納に力点をおいた発明となっている。すなわち、作品を美しい状態で乾燥させつつ携帯して移動するという課題を解決するという点については考慮されていない。
例えば特許文献１では、その第３頁に記載されるように最後の用紙を二ッ折にして重ねると記載されている。しかし、重ねた場合、常時重ねておく必要が生じ、この重ねが開いてしまう可能性があり、固定する必要性が生じている。
また、１種類の素材で吸水させるため、素材を柔らかなものとした場合は、携帯時につぶれ、逆につぶれないような素材から製作した場合は、折り曲げにくいという難点を有している。つまり、単純に二ッ折にするとなかの作品に折目がついてしまう。
また、素材として画用紙を使用すれば、新聞紙同様に半紙に付着する恐れが生じる。
【００１０】
また、特許文献２では、保管の利便性を考慮したため吊り下げ形となり、吊り下げ用のリング等が設けられ、そこに作品が保管されるのみである。この吊り下げは、明らかに保管時の吊り下げに使用するためのものであり、携帯に十分なもち手部分の工夫は特になされていない。また、この状態で携帯すると半紙以上のサイズであるため携帯性が十分ではなかった。
さらに、吊り下げ方式の場合、半紙が固定されないため、他の作品を挿入する際に各シートを開いて閉じると、既に挿入されてある半紙が曲ったり、下方にずれる等するため、折目や皺が生じてしまい作品の平坦性が失われ、作品としての体をなさなくなる恐れがあった。また、学校等の教室においては吊り下げることは事実上困難であり、なかなか活用されていない。
【００１１】
そこで、解決しようとする問題点は、半紙に限らず半切、全紙までの大型作品の保管スペースの削減及び携帯性を改善することにある。従って、本発明の目的は、未乾きの書道作品を保管できると共に携帯性に優れた携帯型書道作品ホルダの提供にある。
【課題を解決するための手段】
【００１２】
本発明は、通気性を有する素材からなり積層されて一端部が互いに縫着部と接着剤により接合される複数の第一シートを有し、前記第一シートより硬度を有して前記第一シートと積層される第二シートを有する携帯型書道作品ホルダにおいて、
前記複数の第一シート同士の間に書道作品を収納して第二シートが外側となる様に曲げられて、前記第二シートはその長さが前記第一シートより長く設定される曲代部を備え、第二シートの縫着部と相対する端辺中央及び両端に上向きに面ファスナのループ部が縫着され、第二シートの裏面の縫着部から所定の距離をおいた位置に面ファスナのフック部が縫着されることで乾燥可能で携帯しやすいことを特徴とする。
【００１３】
また、本発明の携帯型書道作品ホルダは、通気性を有する素材からなり積層されて一端部が互いに縫着部と接着剤により接合される複数の第一シートを有し、前記第一シートより硬度を有して前記第一シートと積層される第二シートを有する携帯型書道作品ホルダにおいて、
前記複数の第一シート同士の間に書道作品を収納して第二シートが外側となる様に曲げられて、前記第二シートはその長さが前記第一シートより長く設定される曲代部を備え、端部に穴部を設けてリングが貫通されることで乾燥可能で携帯しやすいことを特徴とする。
第一シートは、不織布と、麻布と、網目状布とのいずれかから構成されてもよく、固定部と受部は、根付と通し紐であっても良い。
結合される一辺は、接着剤による接着または、シートに予め設けた綴じ部により固定することもできる。ここで、綴じ部としては不織布等に穴部を設けてリングで貫通させて固定するリング金具や、またリング形状も、丸型、楕円型、Ｄ型、角型としてもよく、穴数を多くした多穴金具や、またワンタッチ収納可能なパイプ・スポット金具や、ロック式、オープン金具、シャープ金具、ピット式金具、ポリ足金具、スモール金具、ＡＺ金具、スプリング金具、ペーパーファスナ、スティックファスナ、スポコン式金具等を活用できる。
これらの手段を使用して、本発明の第一シートである不織布が固定されることでホルダが構成される。一方リング等の綴じ部を利用することで、ファイルとして不織布を一枚から綴じることができる。これら、ホルダとして使用するか、ファイルとするかは、使用目的によるものであり、互いに置換え可能である。
【００１４】
さらに、固定部と受部は、複数の紐であってもよく、面ファスナ、ハトメと、留金具のいずれかであってもよい。
そして、第一シートの結合部が所定の距離ごとに結合され、前記結合位置に対応して第二シートに折り目が設けられてもよい。第二シートは、その中央に折り畳み線と平行な複数の溝を備えて収納時に折畳み用の表装を形成してもよく、第二シートは、収納される用紙の半分以下のサイズからなる２枚の板目紙から形成されることを特徴としてもよく、第二シートが第一シートの表及び裏の両面に配置されてもよく、第二シートの長さが第一シートの長さより長くともよい。さらに、第二シートは、竹や細木のすだれ状及び樹脂製の素材を利用することもできる。
また、結合される一辺は、収納される用紙の長手方向の辺であってもよく、結合される一辺は、収納される用紙の短手方向の辺であってもよい。
【発明の効果】
【００１５】
本発明の携帯型書道作品ホルダは、通気性を有する素材からなり積層されて一辺が互いに結合される複数の第一シートを有する携帯型書道作品ホルダであって、前記第一シートより硬度を有して背面の一端部に固定部を備え他端部に受部を有して第一シートと積層される第二シートを有することで、携帯時に作品がつぶれたりすること無く、また、固定部開放時には全体に丸まってしまう癖をつけることなく使用可能となる。通気性を有する素材の使用は作品を乾燥させつつ作品を保護するために重要である。
また、前記複数の第一シート同士の間に書道作品を収納して第二シートが外側となる様に曲げられて前記固定部と前記受部とが結合されて固定されることで、携帯時にコンパクトに収容できて、かつ、乾燥させながら固定されるという利点がある。
【００１６】
さらに、本発明の携帯型書道作品ホルダは、不織布と、麻布と、網目状布等のいずれかから構成されることで、コストのかからない素材で乾燥を容易に実現するという利点を有する。
【００１７】
さらに、本発明の固定部と受部は、根付と通し紐とすることで装着しやすく、開放しやすい固定部を有し、携帯時に利便性を有するという利点がある。また固定部と受部を、面ファスナとすることで携帯に便利でコンパクトとなる。
結合される一辺は、接着剤による接着または、シートに予め設けた穴部にリングを貫通させるリングにより固定することで、縫着のコストの削減が可能となる。一方で、シート数を増やしたり、減らしたり任意のシート数で携帯型書道作品ホルダを構成することもできる。
【００１８】
その上、本発明の第一シートの結合部が所定の距離ごとに結合され、前記結合位置に対応して第二シートに折り目が設けられることにより、大型の作品であってもコンパクトに収納して携帯することが容易になるという利点を有する。
【発明を実施するための最良の形態】
【００１９】
未乾きの書道作品を複数枚重ねて保管できると共に携帯性に優れた半紙から全紙までの携帯型書道作品ホルダを提供するという目的を、安価な部材で必要最小限の部品数で実現した。
【実施例１】
【００２０】
図１（ａ）は、半紙サイズの携帯型書道作品ホルダの一実施例の正投影図であって、携帯型書道作品ホルダ２は、プラスチック樹脂等から構成される台紙４の上に不織布６が複数枚積層され、表紙１０が最上層に積層され、その一端辺で不織布６が縫着される。半紙は、複数枚の不織布６内に挿入される。不織布６を利用することで通風がよいため乾燥が早くなる。
【００２１】
台紙４は、可撓性を有する合成樹脂、特に塩化ビニルから構成され、不織布の縫着部と接着材等により接合される。縫着部には、綴じカバー８が端辺全体にわたって被覆する。台紙４のサイズは、長さＬ１は、３８〜４８ｃｍ程度、望ましくは４４〜４６ｃｍであり幅Ｗ１は２６ｃｍ〜３２ｃｍ程度、好適には２７〜２９ｃｍが望ましい。また、厚さは０．０５ｍｍ〜０．５ｍｍが採用可能であるが、好ましくは０．１〜０．３ｍｍである。この台紙４の縫着部と相対する端辺１１中央及び両端に上向きに面ファスナのループ部１４ａ，１４ｂ，１４ｃが縫着される。一方、台紙４の裏面の縫着部から所定の距離をおいた位置に面ファスナのフック部１６ａ，１６ｂ，１６ｃが縫着される。
一方、図１（ｂ）は、不織布６を綴じカバー８で縫着する代わりに、リング状の金具９によって綴じたものを示す。長さとしては３８〜４８ｃｍ程度が好適である。また、リングの個数は、２〜６個程度、好ましくは４個が望ましい。
図２（ａ）に示すように、縫着部又はリング部を中心として巻き、面ファスナのループ部１４ａ，１４ｂ，１４ｃが面ファスナのフック部１６ａ，１６ｂ，１６ｃと係合して固定され、携帯に便利なコンパクトな形状となっている。
【００２２】
図２（ｂ）は、第二シートの一端辺の受部中央に固定部２３により紐部２１を付け、紐部２１の先端に根付部７が結着される。紐部２１により台紙４を巻回して端部の根付部７を巻回した紐部２１に差し込む例を示す。単純な構造で固定が可能となる。
図２（ｃ）は、第二シートの端部から２本の紐部２５、２７を接続し、綴じカバー８又はリング部９を中心に巻いた後に、各紐部２５、２７を互いに携帯型書道作品ホルダを反対方向に一周させて中央部で結ぶことで固定する。
図２（ｄ）は、第二シートの固定部と受部としてその端部と中央部にハトメ２９ａ、２９ｂが固着され一方の中心部に紐３１が接合されるものである。綴じカバー８又はリング部９を中心に巻いた後に、各ハトメ２９ａ、２９ｂに紐３１を巻きつけることで固定する。
【実施例２】
【００２３】
図３は、全紙サイズの携帯型書道作品ホルダ１８の実施例の正面図を示す。携帯型書道作品ホルダ１８も、プラスチック樹脂等から構成される台紙２６の上に不織布が複数枚積層され、表紙２０が最上層に積層され、その一端辺で不織布が縫着される。縫着部には、綴じカバー２２が端辺全体にわたって被覆する。
【００２４】
ここで、不織布のサイズは縦Ｌ２の長さを１４０〜１５０ｃｍ程度、好適には１４４〜１４６ｃｍに対して幅Ｗ２を７４〜９０ｃｍ程度、好適には７８〜８４ｃｍとし、不織布にＷ２の３等分であるＷ３：２４〜３０ｃｍ好適には２６〜２８ｃｍ毎に折目部２４ａ、２４ｂを縦方向に挿入する。また、一端辺で縫着される際に、縫着をＷ３毎に行なうことでＷ３毎に折り曲げができるように構成される。この折目部２４ａ，２４ｂに所定の間隔を設けて不織布には切込み１９ａ〜１９ｆを設けられる。この切込み１９ａ〜１９ｆにより縦、横の折り曲げが容易となる。また、台紙２６は、その長さＬ３が縦方向に４０〜４５ｃｍとされ、この台紙サイズの大きさ程度に縦方向に３つ折または４つ折に折り曲げられる。
【００２５】
図４に示すように、この台紙２６の両端部の端辺３０の両端辺と中央近傍及び不織布の最下シートの裏面の一方に面ファスナのループ部が貼付され、他方の台紙端部又は最下部の不織布シートの裏面近傍にフック部が対応する位置３３ａ，３３ｂ，３３ｃに設けられる。全紙を挿入後、横に４つ折りまたは３つ折りに折畳み、省スペース型書道作品ホルダ１８を折目２４ａ，２４ｂで両脇から折畳み、一端の裏部に縫着された面ファスナループ部と、もう一端の表側に縫着された面ファスナフック部とを折り曲げて固定する。また、不織布に切れ目１９ａ〜１９ｆの位置から容易に４つ折または３つ折とすることができ、コンパクトに携帯することが可能となる。
【実施例３】
【００２６】
図５は、本発明に係る半紙携帯型書道作品ホルダの背表紙を有する表装つきホルダの構成図であり、（ａ）は伸張時の構成を示し、（ｂ）は折畳み時の構成を示す。携帯型書道作品ホルダ２は、表装された厚みを有する表装紙から構成される台紙の上に不織布６が複数枚積層され、表紙１０が最上層に積層され、その一端辺で不織布６が縫着される。表装紙は、板目紙から構成される。縫着部には、綴じカバー８が端辺全体にわたって被覆する。台紙は、裏表紙３８と、背表紙４０と、表表紙４２とから構成され裏表紙３８と表表紙４２の端部に紐部４４と４６が固着される。裏表紙３８は、折りたたみ時に不織布６の端部の曲げ代だけ長く突出される。
図５（ｂ）は、背表紙４０を中心にして裏表紙３８と表表紙４２によって不織布等による携帯型書道作品ホルダを折畳んだ構成を示す。折畳んだ後に紐部４４と４６とが結ばれて固定することで、携帯に便利な形状となる。
【実施例４】
【００２７】
図６は、本発明に係る半紙携帯型書道作品ホルダの背表紙を有さない表装つきホルダの構成図であり、（ａ）は伸張時の構成を示し、（ｂ）は折畳み時の構成を示す。携帯型書道作品ホルダ２は、表装された厚みを有する表装紙から構成される半紙の半分の大きさより少し大きめの裏表紙５０の上に不織布６が複数枚積層され、表紙１０が最上層に積層され、その一端辺で不織布６が縫着される。表装紙は、板目紙から構成される。縫着部には、綴じカバー８が端辺全体にわたって被覆する。図６（ｂ）において、表表紙４８はその両端に紐部５４，５６が設けられ、裏表紙５０はその両端に紐部５２，５３（但し５３は図示せず）が設けられる。表表紙４８の紐部５２と裏表紙５０の紐部５４とが結合され、表表紙４８の紐部５６に裏表紙５０の紐部５３とが結合されてそれぞれ固着される。
不織布を２つ折りにする際に紐部５２と５４と、紐部５３と５６とを結んで固定することで、携帯に便利な形状となる。表表紙４８は、折りたたみ時に不織布６の端部の曲げ代だけ長く突出される。
【実施例５】
【００２８】
図７は、本発明に係る半切紙携帯型書道作品ホルダの背表紙を有さない表装つきホルダの構成図であり、（ａ）は伸張時の構成を示し、（ｂ）は折畳み時の構成を示す。携帯型書道作品ホルダは、綴じカバー６６で長手方向に綴じる不織布６２と、最下部の不織布と接合されて半切紙の３分の１又は４分の１の板目紙からなる表表紙５８と、裏表紙６４とから構成される。表表紙５８の端部に紐部６９，７０、裏表紙６４の端部に紐部６８，７１（但し７１は図示しない）がそれぞれ貼り付け固着される。表表紙５８と、裏表紙６４とは、綴じカバー６６とともに不織布と固定される。この不織布６２の短手方向の中央部と、綴じカバー６６には所定の間隔で切込み部６５ａ，６５ｂ，６５ｃ，と不織布６２の短手方向の中央部に所定の間隔で切込み部６５ｄ，６５ｅ，６５ｆが設けられる。この切込み６５ａ，６５ｂ，６５ｃ，６５ｄ，６５ｅ，６５ｆにより折り畳みが容易になる。
次に、図７（ｂ）に示すように、不織布６２を表表紙５８と、裏表紙６４との大きさに合わせて３つ折または４つ折として、表表紙５８と、裏表紙６４内に収納される。不織布６２を利用することで通風がよいため乾燥が早くなる。収納後に両端に固着された紐部６８，７０とが結合され、一方の紐部６９，７１とが結合されて固着されることで、コンパクトで携帯に便利な形状となる。
【実施例６】
【００２９】
図８は、本発明に係る半切紙携帯型書道作品ホルダの背表紙を有する表装つきホルダの構成図であり、（ａ）は伸張時の構成を示し、（ｂ）は折畳み時の構成を示す。携帯型書道作品ホルダは、半切紙の３分の１又は４分の１の板目紙からなる裏表紙８６が背表紙８８と表表紙９０からなる台紙から構成されて、その上に綴じカバー８２で短手方向に綴じられる不織布８４とから構成される。この不織布８４の短手方向の中央部には所定の間隔で切込み部８３ａ，８３ｂ，８３ｃが設けられる。この切込み８３ａ，８３ｂ，８３ｃにより折り畳みが容易になる。
ここで、図８（ｂ）の通り、不織布８４が４つ折または３つ折に折り畳まれて、その上に背表紙８８と表表紙９０とが覆い、その表表紙９０と裏表紙８６の端部で紐部により結ばれて固定されることで、携帯に便利な形状となる。
【００３０】
図９は、本発明に係る携帯型書道作品ホルダの取手付着部９６の構成図であり、（ａ），（ｂ）は両端接続型の構成を示し、（ｃ），（ｄ）は中央接続型の構成を示す。以上の携帯型書道作品ホルダのいずれにも適用可能な取手付着部９６は、図９（ａ）に示すように両端部９７ａ，９７ｂの裏面に面ファスナのフック部９８ａ，９８ｂが貼り付けられる。
【００３１】
一方、携帯型書道作品ホルダの背表紙８８の裏部両端にもう一方の面ファスナのループ部９４ａ，９４ｂが縫着される。従って、取手付着部９６の両端部を折り曲げて携帯型書道作品ホルダの背表紙８８に挿入して、面ファスナのループ部９４ａ，９４ｂと面ファスナのフック部９８ａ，９８ｂを結合させて固定する(図９（ｂ））。取手付着部９６の中央に取手部９５が設けられて、携帯性が向上する。
【００３２】
次に、図９の（ｃ），（ｄ）に示すように樹脂板部１００の両端部にそれぞれ面ファスナ１０２，１０４を結合するよう設けられ（図９（ｃ））、背表紙８８の裏部に挿入して貫通させて、面ファスナ１０２，１０４を結合する（図９（ｄ））。取手部９５が樹脂板部１００に設けられて、携帯型書道作品ホルダをより確実に固定することができ、携帯性が向上する。
【実施例７】
【００３３】
図１０は、本発明に係る携帯型書道作品ホルダ（実施例７）の不織布１１２に穴部を設けてリング部１２８で固定したホルダの構成図であり、不織布１１２の一方を綴じカバー１３１で綴じてその綴じカバー１３１上に穴部１２９を設けてリング部１２８で固定した携帯型書道作品ホルダ１１０を示す。リング部１２８は台紙に設けられた留具１２６に固定される。図１０（ａ）は、台紙を延ばした状態であり、図１０（ｂ）は、台紙を折りたたみ携帯時の形状の構成図である。台紙は、表表紙１１４と、表表紙１１４に連接される底部１１６と、底部１１６に連接される裏表紙部１１８と、裏表紙部１１８に連接されて取手固定部１３０が設けられた上蓋部１２２と、押さえ金具１３４が端部に設けられて上蓋部１２２と連接される押さえ蓋部１２０とから構成される。押さえ蓋部１２０の端部に設けられる押さえ金具１３４の突出部が、表表紙１１４に設けられる押さえ金具受部１３２の係止部に係止されて固定される。上蓋部１２２の上部取手部１３６の取り付けられる面の裏側に取手固定部１３０があり、裏表紙部１１８上であって上蓋部１２２に隣接した位置にリング１２８を固定する留具１２６が設けられる。取手部１３６を有することで携帯性が更に向上する。不織布１１２は、リングから取り外して使用できるため、半紙等の挿入が容易となる。なお、本形状であれば、半紙と半切の何れの作品に対しても適用可能である。
【実施例８】
【００３４】
図１１に、本発明に係る携帯型書道作品ホルダとして書道用具セット１４０に適用した例を示す。図１１（ａ）は、書道用具セット１４０を開放した構成であり、図１１（ｂ）は書道用具セット１４０を閉じた構成を示す。不織布１５０を配置しその端部を綴じカバー１５１で挟み固定して穴部を設けてリング部１４６、１４８で固定した携帯型書道作品ホルダ１４０を示す。ケース側板１４２ａに留め具１４４を設けてリング部１４６、１４８を固定し、ケース側板１４２ａと連接する底板１４３と、底板１４３に連接する側板１４２ｂ上に不織布１５０を設け、その上に書道具が配置され、側板には縁部１４５、１４７が底板１４３を除き設けられる。また、図１１（ｂ）に示すようにケース側板１４２ａ、１４２ｂの外側に取手部１５２ａ、１５２ｂ部が設けられ、さらに固定するためのスナップ凸部を有する留め部がケース側板１４２ａに設けられる。一方のケース側板１４２ｂにスナップの凹部が設けられる。このような構成とすることで、総ての書道道具をまとめる事ができ、さらに特に書道用具セットの使用される学校内での書道において、乾燥すべき作品を収納できるためスペース削減と共に、時間にゆとりが生じ、授業時間の終了時間間際まで落ち着いて練習することが可能となる。本実施例についても、実施例７と同様に不織布１５０は、書道用具セットから取り外しが自由で不織布１枚から綴じることも可能である。
【実施例９】
【００３５】
図１２に本発明を適用したさらなる携帯型書道作品ホルダ１６０を示す。実施例７と比較して大きな違いとしては留め具として裏表紙１６８に設けた穴部に紐１８０を貫通させ、正面で紐を固定するものとしたことである。書道用紙として、半紙から全紙まで適用可能である。
携帯型書道作品ホルダ１６０は、不織布１６２に一方を綴じカバー１６９で貼り付け固定し、その綴じカバー１６９上に穴部１７８を設けてその穴部１７８内にリング部１７６を貫通させて固定している。リング部１７６はカバーでもある台紙に設けられた留具１７４に固定される。図１２（ａ）は、台紙を延ばした状態であり、図１２（ｂ）は、台紙を折りたたみ携帯時の形状の構成図であり、図１２（ｃ）は背面の構成図である。台紙は、表表紙１６４と、表表紙１６４に連接される底部１６６と、底部１６６に連接される裏表紙１６８と、裏表紙１６８に連接される上蓋部１７２と、上蓋部１７２に連接される押さえ蓋部１７０とから構成される。
図１２（ｂ）に示すように、内部の書道作品が折りたたまれ、さらに台紙部が折りたたまれて、外周を紐部１８０が周回して留金具１８２で挟み固定される。
また、図１２（ｃ）に示されるように、紐部１８０は、裏表紙１６８に台紙上に平行に設けられた２つの穴部１８４、１８６を貫通することで台紙に固定されて携帯型書道作品ホルダ１６０から紐部１８０が外れることを防ぐ。
【実施例１０】
【００３６】
図１３は、外側カバー１９４端部がラウンドファスナで封止されるバッグ形状となる点で他の実施例と異なる携帯型書道作品ホルダ１９０を示す。
携帯型書道作品ホルダ１９０は、不織布１９２の一方を綴じカバー２０５で固定してその綴じカバー２０５上に穴部２０２ａを設けてそのリング部にリング部２００ａを貫通させて固定される。リング部２００ａは外側カバー１９４に設けられた留具２０４に固定される。図１３（ａ）は、外側カバー１９４を開いた状態であり、図１３（ｂ）は、外側カバー１９４を閉じた携帯時の形状の構成図である。外側カバー１９４は、中央で折畳まれ書道作品を収納してラウンドファスナ１９６によって封止される。
【００３７】
以上本発明の好適な実施例について説明をしたが、本発明は前記実施例に限定されることなく、その精神を逸脱しない範囲内において多くの設計変更が可能である。例えば、第一シートとして不織布を採用したが、不織布に限定されるものではなく、通気性を有する素材であれば、麻布と、網目状布、ポリエステル製網、目の細かいレース布、また、その他の天然素材として植物性素材であるケナフ、バナナ、竹等の素材、さらに金属を利用した素材としてステンレス、ニッケル等、さらに炭素素材、さらに再生素材としてＰＥＴボトルを再生したＰＥＴ素材等の通気性を有する素材を選択することができる。
【００３８】
また、不織布を採用した場合、本実施例では縫着させているが、超音波を発生させる超音波ホーンを溶着部の両側に配位させて溶着させても接合できる。また、粘着テープや接着剤また、ホチキスで固定することもできる。更には、熱可塑性樹脂を塗布して加熱融着させることもできる。
【００３９】
さらに、台紙としては紙類又は、プラスチック樹脂が利用可能である。紙類として、例えば、ボール紙、厚紙も使用可能であるが、好ましくは板目紙がよい。プラスチック樹脂は、ポリエチレン、ポリプロピレン、低発泡性ポリプロピレン、ポリ塩化ビニル、ポリエチレンテレフタラート等を採用することもできる。また、第二シートは、硬度が第一シートよりあればよいため、例えば、フェルト地等の書道用の下敷きを利用することもできる。また、書道用具入れや合成皮革等の使用も十分その対象となる。
また、実施例１、２、３、４、５、６については、綴じカバーを利用したホルダであるのに対して、実施例１、７、８、９、１０については、リング等の固定具を使用したファイルから構成される。
さらに、収納する作品として仮名用、漢字用を問わず半紙、半切、全紙、色紙、連落等その形状の変更により書道作品であれば収納可能である。
【産業上の利用可能性】
【００４０】
通気性を有する素材からなり積層されて一辺が互いに結合される複数の第一シートを有する携帯型書道作品ホルダであって、前記第一シートより硬度を有して背面の一端部に固定部を備え他端部に受部を有して第一シートと積層される第二シートを有することで、毛筆でしたためられて未だ墨汁で濡れた状態の作品を、乾燥させながらコンパクトに収納できる携帯型書道作品ホルダとして、日本古来の教えとして見直されつつある学校書道教育の授業や、一般の書道教室の生徒、さらには愛好家、そして書家に至るまで、半紙程度の小型の作品から全紙程度の大型の書道作品の搬送と保管に大いに役立つものである。
さらに、リングのような取り外し可能な固定具で固定した場合には、いずれも積層された不織布はホルダから取り外しが自在であるため、省スペースが図れ、且つ状況に応じて使い分けることができる。しかも、不織布の枚数は綴じカバーで綴じられた枚数に限定されること無く１枚から追加することが可能である。
【図面の簡単な説明】
【００４１】
【図１】本発明に係る半紙携帯型書道作品ホルダの正投影図である。（実施例１）
【図２】本発明に係る携帯型書道作品ホルダの（ａ）は面ファスナで固定した構成図を示し、（ｂ）は根付で固定した構成図を示し、（ｃ）は紐で固定した構成を示し、（ｄ）はハトメで固定した構成図を示す。（実施例１）
【図３】本発明に係る半切紙携帯型書道作品ホルダの正投影図である。（実施例２）
【図４】本発明に係る半切紙携帯型書道作品ホルダの折り畳まれた構成図である。（実施例２）
【図５】本発明に係る半紙携帯型書道作品ホルダの背表紙を有する表装つきホルダの構成図であり、（ａ）は伸張時の構成を示し、（ｂ）は折畳み時の構成を示す。（実施例３）
【図６】本発明に係る半紙携帯型書道作品ホルダの背表紙を有さない表装つきホルダの構成図であり、（ａ）は伸張時の構成を示し、（ｂ）は折畳み時の構成を示す。（実施例４）
【図７】本発明に係る半切紙携帯型書道作品ホルダの背表紙を有さない表装つきホルダの構成図であり、（ａ）は伸張時の構成を示し、（ｂ）は折畳み時の構成を示す。（実施例５）
【図８】本発明に係る半切紙携帯型書道作品ホルダの背表紙を有する表装つきホルダの構成図であり、（ａ）は伸張時の構成を示し、（ｂ）は折畳み時の構成を示す。（実施例６）
【図９】本発明に係る半紙携帯型書道作品ホルダの取手付着部の構成図であり、（ａ），（ｂ）は両端接続型の取手付着部の構成を示し、（ｃ），（ｄ）は中央接続型の取手付着部の構成を示す。（実施例１〜６）
【図１０】本発明に係る携帯型書道作品ホルダ（実施例７）の不織布１１２に穴部を設けてリング部１２８で固定したホルダの構成図であって、（ａ）は台紙を延ばした状態の構成を示し、（ｂ）は台紙を折り畳んだ携帯時の状態の構成を示す。
【図１１】本発明に係る携帯型書道作品ホルダ（実施例８）であって、配置し穴部を設けてリング部１４６、１４８で固定したホルダの構成図であり、（ａ）は書道用具セット１４０を開放した構成を示し、（ｂ）は書道用具セット１４０を閉じた構成を示す。
【図１２】本発明に係る携帯型書道作品ホルダ（実施例９）の構成図を示し、（ａ）は開放時の構成図であり、（ｂ）は携帯時の表面部であり、（ｃ）は携帯時の背面部を示す。
【図１３】本発明に係る携帯型書道作品ホルダ（実施例１０）の構成図を示し、（ａ）は開放時を示し、（ｂ）は収納時を示す。
【符号の説明】
【００４２】
２    携帯型書道作品ホルダ
４    台紙
６    不織布
８    綴じカバー
９    リング部
１０    表紙
１１    端辺
１２    幅広帯
１４ａ，１４ｂ，１４ｃ    面ファスナのループ部
１６ａ，１６ｂ，１６ｃ    面ファスナのフック部
１８    携帯型書道作品ホルダ
１９ａ，１９ｂ，１９ｃ，１９ｄ，１９ｅ，１９ｆ    切込み
２０    表紙
２１    紐部
２２    綴じカバー
２３    固定部
２４ａ，２４ｂ    折目
２５    紐部
２６    台紙
２７    紐部
３０    端辺
３３ａ，３３ｂ，３３ｃ    面ファスナのループ部
３６    通し紐
３８    裏表紙
４０    背表紙
４２    表表紙
４４，４６    紐部
４８    表表紙
５０    裏表紙
５２，５３，５４，５６    紐部
５８    表表紙
６２    不織布
６４    裏表紙
６６    綴じカバー
６８，６９，７０，７１    紐部
８２    綴じカバー
８４    不織布
８６    裏表紙
８８，９２    背表紙
９０    表表紙
９４ａ，９４ｂ    面ファスナのループ部
９６    取手付着部
９７ａ，９７ｂ    両端部
９８ａ，９８ｂ    面ファスナのフック部
１００    樹脂板部
１０２，１０４    面ファスナ
１１０  携帯型書道作品ホルダ
１１２  不織布
１１４  表表紙
１１６  底部
１１８  裏表紙部
１２０  押さえ蓋部
１２２  上蓋部
１２６  留具
１３０  取手固定部
１３１  綴じカバー
１３４  押さえ金具
１４０  携帯型書道作品ホルダ
１４２ａ，１４２ｂ  側板
１４３  底板
１４４  留め具
１４６，１４８  リング部
１５０  不織布
１５１  綴じカバー
１５２ａ，１５２ｂ  取手部
１６０  携帯型書道作品ホルダ
１６２  不織布
１６４  表表紙
１６６  底部
１６８  裏表紙
１６９  綴じカバー
１７０  押さえ蓋部
１７２  上蓋部
１７４  留具
１７６  リング部
１７８  穴部
１８０  紐
１８２  留金具
１８４，１８６  穴部
１９０  携帯型書道作品ホルダ
１９２  不織布
１９４  外側カバー
１９６  ラウンドファスナ
２００ａ  リング部
２０２ａ  穴部
２０４  留具
２０５  綴じカバー
【図１】
0003564124.tif 000002
【図２】
0003564124.tif 000003
【図３】
0003564124.tif 000004
【図４】
0003564124.tif 000005
【図５】
0003564124.tif 000006
【図６】
0003564124.tif 000007
【図７】
0003564124.tif 000008
【図８】
0003564124.tif 000009
【図９】
0003564124.tif 000010
【図１０】
0003564124.tif 000011
【図１１】
0003564124.tif 000012
【図１２】
0003564124.tif 000013
【図１３】
0003564124.tif 000014